(57)【要約】【課題】アクセスポイント経由で基地局から端末装置へ送信されるデータの送達確認を行うことを可能にすること。【解決手段】本発明の装置は、基地局のＰＤＣＰ（Packet  Data  Convergence  Protocol）レイヤからのデータユニットを取得する情報取得部と、送達確認を可能にするプロトコルを使用して、無線ローカルエリアネットワークのアクセスポイント経由で端末装置へ上記データユニットを送信する通信処理部と、を備える。【選択図】図５
2017043534.tif 000002
【特許請求の範囲】
【請求項１】
基地局のＰＤＣＰ（Packet  Data  Convergence  Protocol）レイヤからのデータユニットを取得する情報取得部と、
送達確認を可能にするプロトコルを使用して、無線ローカルエリアネットワークのアクセスポイント経由で端末装置へ前記データユニットを送信する通信処理部と、
を備える装置。
【請求項２】
前記プロトコルの送達確認の結果を前記基地局の前記ＰＤＣＰレイヤに提供する情報提供部をさらに備える、請求項１に記載の装置。
【請求項３】
前記プロトコルの送達確認の前記結果は、前記データユニットの送達が確認されたことを示す情報を含む、請求項２項に記載の装置。
【請求項４】
前記プロトコルの送達確認の前記結果は、前記データユニットの送達が確認されなかったことを示す情報を含む、請求項２又は３に記載の装置。
【請求項５】
前記装置は、前記基地局とは異なるゲートウェイ、又は当該ゲートウェイのためのモジュールである、請求項１〜４のいずれか１項に記載の装置。
【請求項６】
前記装置は、前記基地局、前記基地局のための基地局装置、又は当該基地局装置のためのモジュールである、請求項１〜４のいずれか１項に記載の装置。
【請求項７】
前記ＰＤＣＰレイヤにおける送信処理を行う他の通信処理部
をさらに備え、
前記他の通信処理部は、前記プロトコルの送達確認の結果に基づいて、前記ＰＤＣＰレイヤのリオーダリングウィンドウを進める、
請求項６に記載の装置。
【請求項８】
前記ＰＤＣＰレイヤにおける送信処理を行う他の通信処理部
をさらに備え、
前記他の通信処理部は、前記プロトコルからの情報に基づいて、前記基地局と前記端末装置との間の輻輳の制御を行う、
請求項６又は７のいずれか１項に記載の装置。
【請求項９】
前記制御は、前記基地局から前記端末装置へ直接送信されるデータの量と、前記基地局から前記アクセスポイント経由で前記端末装置へ送信されるデータの量とを調整することを含む、請求項８に記載の装置。
【請求項１０】
基地局のＰＤＣＰレイヤからのデータユニットであって、送達確認を可能にするプロトコルを使用して無線ローカルエリアネットワークのアクセスポイント経由で端末装置へ送信された前記データユニットを取得する情報取得部と、
前記端末装置における前記データユニットの受信処理を行う通信処理部と、
を備える装置。
【請求項１１】
前記プロトコルを使用して前記データユニットを受信する他の通信処理部をさらに備える、請求項１０に記載の装置。
【請求項１２】
前記受信処理は、前記ＰＤＣＰレイヤのリオーダリングを含む、請求項１０又は１１に記載の装置。
【請求項１３】
前記通信処理部は、前記データユニットが受信されたことを示すＰＤＣＰステータスレポートを前記基地局へ送信する、請求項１０〜１２のいずれか１項に記載の装置。
【請求項１４】
前記装置は、前記端末装置、又は前記端末装置のためのモジュールである、請求項１０〜１３のいずれか１項に記載の装置。
【請求項１５】
前記プロトコルは、トランスポートレイヤのプロトコルである、請求項１〜１４のいずれか１項に記載の装置。
【請求項１６】
前記プロトコルは、ＴＣＰ（Transmission  Control  Protocol）又はＳＣＴＰ（Stream  Control  Transmission  Protocol）である、請求項１５に記載の装置。
【請求項１７】
基地局のＰＤＣＰレイヤからのデータユニットを取得することと、
送達確認を可能にするプロトコルを使用して、無線ローカルエリアネットワークのアクセスポイント経由で端末装置へ前記データユニットを送信することと、
を含む方法。
【請求項１８】
基地局のＰＤＣＰレイヤからのデータユニットであって、送達確認を可能にするプロトコルを使用して無線ローカルエリアネットワークのアクセスポイント経由で端末装置へ送信された前記データユニットを取得することと、
前記端末装置における前記データユニットの受信処理を行うことと、
を含む方法。
【請求項１９】
送達確認を可能にするプロトコルを使用して、基地局のＰＤＣＰレイヤからのデータユニットを、無線ローカルエリアネットワークのアクセスポイント経由で端末装置へ送信するゲートウェイ又は前記基地局と、
前記端末装置における前記データユニットの受信処理を行う前記端末装置と、
を含むシステム。
【請求項２０】
ゲートウェイ又は基地局において、送達確認を可能にするプロトコルを使用して、前記基地局のＰＤＣＰレイヤからのデータユニットを、無線ローカルエリアネットワークのアクセスポイント経由で端末装置へ送信することと、
前記端末装置において、前記端末装置における前記データユニットの受信処理を行うことと、
を含む方法。
【請求項２１】
基地局のＰＤＣＰレイヤからのデータユニットを取得することと、
送達確認を可能にするプロトコルを使用して、無線ローカルエリアネットワークのアクセスポイント経由で端末装置へ前記データユニットを送信することと、
をプロセッサに実行させるためのプログラム。
【請求項２２】
基地局のＰＤＣＰレイヤからのデータユニットを取得することと、
送達確認を可能にするプロトコルを使用して、無線ローカルエリアネットワークのアクセスポイント経由で端末装置へ前記データユニットを送信することと、
をプロセッサに実行させるためのプログラムを記録した読み取り可能な記録媒体。
【請求項２３】
基地局のＰＤＣＰレイヤからのデータユニットであって、送達確認を可能にするプロトコルを使用して無線ローカルエリアネットワークのアクセスポイント経由で端末装置へ送信された前記データユニットを取得することと、
前記端末装置における前記データユニットの受信処理を行うことと、
をプロセッサに実行させるためのプログラム。
【請求項２４】
基地局のＰＤＣＰレイヤからのデータユニットであって、送達確認を可能にするプロトコルを使用して無線ローカルエリアネットワークのアクセスポイント経由で端末装置へ送信された前記データユニットを取得することと、
前記端末装置における前記データユニットの受信処理を行うことと、
をプロセッサに実行させるためのプログラムを記録した読み取り可能な記録媒体。
【請求項２５】
基地局のＰＤＣＰレイヤにおける送信処理を行う通信処理部と、
前記送信処理により生成されるデータユニットを、送達確認を可能にするプロトコルを使用して無線ローカルエリアネットワークのアクセスポイント経由で端末装置へ前記データユニットを送信するゲートウェイに提供する情報提供部と、
を備える装置。
【請求項２６】
前記装置は、前記基地局、前記基地局のための基地局装置、又は当該基地局装置のためのモジュールである、請求項２５に記載の装置。
【請求項２７】
前記通信処理部は、前記プロトコルの送達確認の結果に基づいて、前記ＰＤＣＰレイヤのリオーダリングウィンドウを進める、請求項２５又は２６に記載の装置。
【請求項２８】
前記通信処理部は、前記プロトコルからの情報に基づいて、前記基地局と前記端末装置との間の輻輳の制御を行う、請求項２５〜２７のいずれか１項に記載の装置。
【請求項２９】
前記制御は、前記基地局から前記端末装置へ直接送信されるデータの量と、前記基地局から前記アクセスポイント経由で前記端末装置へ送信されるデータの量とを調整することを含む、請求項２８に記載の装置。
【請求項３０】
基地局のＰＤＣＰレイヤにおける送信処理を行うことと、
前記送信処理により生成されるデータユニットを、送達確認を可能にするプロトコルを使用して無線ローカルエリアネットワークのアクセスポイント経由で端末装置へ前記データユニットを送信するゲートウェイに提供することと、
を含む方法。
【請求項３１】
基地局のＰＤＣＰレイヤにおける送信処理を行うことと、
前記送信処理により生成されるデータユニットを、送達確認を可能にするプロトコルを使用して無線ローカルエリアネットワークのアクセスポイント経由で端末装置へ前記データユニットを送信するゲートウェイに提供することと、
をプロセッサに実行させるためのプログラム。
【請求項３２】
基地局のＰＤＣＰレイヤにおける送信処理を行うことと、
前記送信処理により生成されるデータユニットを、送達確認を可能にするプロトコルを使用して無線ローカルエリアネットワークのアクセスポイント経由で端末装置へ前記データユニットを送信するゲートウェイに提供することと、
をプロセッサに実行させるためのプログラムを記録した読み取り可能な記録媒体。
【発明の詳細な説明】
【技術分野】
【０００１】
本発明は、無線通信に関する装置及び方法に関する。
【背景技術】
【０００２】
ＬＴＥ（Long  Term  Evolution）のレイヤ２は、ＭＡＣ（Medium  Access  Control）、ＲＬＣ（Radio  Link  Control）及びＰＤＣＰ（Packet  Data  Convergence  Protocol）という３つのサブレイヤに分かれる（非特許文献１を参照）。また、上記３つのサブレイヤの中では、ＲＬＣが送達確認機能（ＲＬＣ  ＡＭモードのＳｔａｔｕｓ  Ｒｅｐｏｒｔ）を有する（非特許文献２を参照）。例えば、ＲＬＣは、データが到達したか否かをＰＤＣＰ（即ち、ＲＬＣの上位レイヤ）に通知し、例えば、ＰＤＣＰはデータが到達したことを通知された場合、リオーダリングウィンドウ（re-ordering  window）を進め、バッファから当該データを削除し、シーケンス番号が割り当てられていない新たなデータにシーケンス番号を付与する。【０００３】
一方、３ＧＰＰ（3rd  Generation  Partnership  Project）では、ＬＴＥのｅＮＢ（evolved  Node  B）と無線ローカルエリアネットワーク（Wireless  Local  Area  Network：ＷＬＡＮ）のアクセスポイント（Access  Point：ＡＰ）との双方を利用してＵＥと通信する技術（即ち、ＬＴＥ−ＷＬＡＮアグリゲーション）が検討されている（非特許文献３を参照）。例えば、ＬＴＥ−ＷＬＡＮアグリゲーションでは、ＰＤＣＰ以下のレイヤでデータパスが分かれる。具体的には、例えば、あるＰＤＣＰ  ＰＤＵ（Packet  Data  Unit）は、ＲＬＣ及びＭＡＣ等を使用してｅＮＢからＵＥへ直接送信され、別のＰＤＣＰ  ＰＤＵは、ＷＬＡＮのＡＰ経由でｅＮＢからＵＥへ送信される。
【先行技術文献】
【非特許文献】
【０００４】
【非特許文献１】3GPP  TS  36.300  V13.0.0  (2015-06)  3rd  Generation  Partnership  Project;  Technical  Specification  Group  Radio  Access  Network;  Evolved  Universal  Terrestrial  Radio  Access  (E-UTRA)  and  Evolved  Universal  Terrestrial  Radio  Access  Network  (E-UTRAN);  Overall  description;  Stage  2  (Release  13)
【非特許文献２】3GPP  TS  36.322  V12.2.0  (2015-03)  3rd  Generation  Partnership  Project;  Technical  Specification  Group  Radio  Access  Network;  Evolved  Universal  Terrestrial  Radio  Access  (E-UTRA);  Radio  Link  Control  (RLC)  protocol  specification  (Release  12)
【非特許文献３】RP-150753:  On  the  impacts  of  LTE  -  WLAN  Aggregation  on  WLAN  Nodes  and  terminals    Broadcom  Corporation
【発明の概要】
【発明が解決しようとする課題】
【０００５】
しかし、非特許文献３に記載されているように、ＬＴＥ−ＷＬＡＮアグリゲーションにおいてＰＤＣＰ以下のレイヤでデータパスが分かれる場合には、ＷＬＡＮのＡＰ経由でのデータの送信にはＲＬＣが使用されず、当該データのために送達確認が行われなくなり得る。例えば、ｅＮＢとＡＰとの間、又はＡＰとＵＥとの間で、上記データがロスしたとしても、ｅＮＢは、当該データのロスを検出しない。その結果、ＰＤＣＰにおいて管理されているバッファにデータが滞留し得る。これにより、データ送信が停滞する可能性があり、また、バッファ溢れによるさらなるデータロスが発生する可能性がある。【０００６】
本発明の目的は、アクセスポイント経由で基地局から端末装置へ送信されるデータの送達確認を行うことを可能にすることにある。
【課題を解決するための手段】
【０００７】
本発明の第１の装置は、基地局のＰＤＣＰ（Packet  Data  Convergence  Protocol）レイヤからのデータユニットを取得する情報取得部と、送達確認を可能にするプロトコルを使用して、無線ローカルエリアネットワークのアクセスポイント経由で端末装置へ上記データユニットを送信する通信処理部と、を備える。【０００８】
本発明の第２の装置は、基地局のＰＤＣＰレイヤからのデータユニットであって、送達確認を可能にするプロトコルを使用して無線ローカルエリアネットワークのアクセスポイント経由で端末装置へ送信された上記データユニットを取得する情報取得部と、上記端末装置における上記データユニットの受信処理を行う通信処理部と、を備える。【０００９】
本発明の第１の方法は、基地局のＰＤＣＰレイヤからのデータユニットを取得することと、送達確認を可能にするプロトコルを使用して、無線ローカルエリアネットワークのアクセスポイント経由で端末装置へ上記データユニットを送信することと、を含む。【００１０】
本発明の第２の方法は、基地局のＰＤＣＰレイヤからのデータユニットであって、送達確認を可能にするプロトコルを使用して無線ローカルエリアネットワークのアクセスポイント経由で端末装置へ送信された上記データユニットを取得することと、上記端末装置における上記データユニットの受信処理を行うことと、を含む。
【発明の効果】
【００１１】
本発明によれば、アクセスポイント経由で基地局から端末装置へ送信されるデータの送達確認を行うことが可能になる。なお、本発明により、当該効果の代わりに、又は当該効果とともに、他の効果が奏されてもよい。
【図面の簡単な説明】
【００１２】
【図１】第１の実施形態に係るシステムの概略的な構成の一例を示す説明図である。
【図２】第１の実施形態に係るゲートウェイの概略的な構成の例を示すブロック図ある。
【図３】第１の実施形態に係る基地局の概略的な構成の例を示すブロック図ある。
【図４】第１の実施形態に係る端末装置の概略的な構成の例を示すブロック図ある。
【図５】第１の実施形態におけるデータの送受信の例を説明するための説明図である。
【図６】第１の実施形態における第１の処理の概略的な流れの一例を示すシーケンス図である。
【図７】第１の実施形態における第２の処理の概略的な流れの一例を示すシーケンス図である。
【図８】第２の実施形態に係るシステムの概略的な構成の一例を示す説明図である。
【図９】第２の実施形態に係る基地局の概略的な構成の例を示すブロック図ある。
【図１０】第２の実施形態に係る端末装置の概略的な構成の例を示すブロック図ある。
【図１１】第２の実施形態におけるデータの送受信の例を説明するための説明図である。
【図１２】第２の実施形態における第１の処理の概略的な流れの一例を示すシーケンス図である。
【図１３】第２の実施形態における第２の処理の概略的な流れの一例を示すシーケンス図である。
【図１４】第３の実施形態に係るゲートウェイの概略的な構成の例を示すブロック図ある。
【図１５】第３の実施形態に係る端末装置の概略的な構成の例を示すブロック図ある。
【図１６】第３の実施形態における処理の概略的な流れの一例を示すシーケンス図である。
【発明を実施するための形態】
【００１３】
以下、添付の図面を参照して本発明の実施形態を詳細に説明する。なお、本明細書及び図面において、同様に説明されることが可能な要素については、同一の符号を付することにより重複説明が省略され得る。
【００１４】
説明は、以下の順序で行われる。
１．本発明の実施形態の概要
２．第１の実施形態
２．１．システムの構成例
２．２．ゲートウェイの構成例
２．３．基地局の構成例
２．４．端末装置の構成例
２．５．技術的特徴
３．第２の実施形態
３．１．システムの構成例
３．２．基地局の構成例
３．３．端末装置の構成例
３．４．技術的特徴
４．第３の実施形態
４．１．システムの構成例
４．２．ゲートウェイの構成例
４．３．端末装置の構成例
４．４．技術的特徴
【００１５】
＜＜１．本発明の実施形態の概要＞＞
まず、本発明の実施形態の概要を説明する。
【００１６】
（１）技術的課題
ＬＴＥ−ＷＬＡＮアグリゲーションにおいてＰＤＣＰ以下のレイヤでデータパスが分かれる場合には、ＷＬＡＮのＡＰ経由でのデータの送信にはＲＬＣが使用されず、当該データのために送達確認が行われなくなり得る。例えば、ｅＮＢとＡＰとの間、又はＡＰとＵＥとの間で、上記データがロスしたとしても、ｅＮＢは、当該データのロスを検出しない。その結果、ＰＤＣＰにおいて管理されているバッファにデータが滞留し得る。これにより、データ送信が停滞する可能性があり、また、バッファ溢れによるさらなるデータロスが発生する可能性がある。
【００１７】
（２）技術的特徴
本発明の実施形態では、例えば、ｅＮＢ又はゲートウェイが、ＴＣＰ（Transmission  Control  Protocol）（又は送達確認を可能にする他のプロトコル）を使用して、当該ｅＮＢのＰＤＣＰパケット（即ち、ＰＤＣＰのＰＤＵ）をＡＰ経由でＵＥへ送信する。ＵＥは、当該ＵＥのＰＤＣＰレイヤにおいて上記ＰＤＣＰパケットの受信処理を行う。
【００１８】
これにより、例えば、ＡＰ経由でｅＮＢからＵＥへ送信されるデータの送達確認を行うことが可能になる。
【００１９】
なお、上述した技術的特徴は本発明の実施形態の具体的な一例であり、当然ながら、本発明の実施形態は上述した技術的特徴に限定されない。
【００２０】
＜＜２．第１の実施形態＞＞
続いて、図１〜図６を参照して、本発明の第１の実施形態を説明する。
【００２１】
＜２．１．システムの構成例＞
まず、図１を参照して、第１の実施形態に係るシステム１の構成の例を説明する。図１は、第１の実施形態に係るシステム１の概略的な構成の一例を示す説明図である。図１を参照すると、システム１は、ゲートウェイ１００、基地局（ｅＮＢ）２００、端末装置（ＵＥ）３００及びアクセスポイント４０を含む。ゲートウェイ１００及び基地局２００は、ネットワーク５１を介して信号を送受信し、ゲートウェイ１００及びアクセスポイント４０は、ネットワーク５３を介して信号を送受信する。
【００２２】
例えば、ゲートウェイ１００、基地局２００及び端末装置３００は、３ＧＰＰ（Third  Generation  Partnership  Project）の規格に準拠したノード／エンティティであってもよい。より具体的には、例えば、ゲートウェイ１００、基地局２００及び端末装置３００は、ＬＴＥ（Long  Term  Evolution）／ＬＴＥ−Ａｄｖａｎｃｅｄに準拠したノード／エンティティであってもよい。例えば、ゲートウェイ１００は、ＷＴ（WLAN  Termination）であってもよい。当然ながら、ゲートウェイ１００、基地局２００及び端末装置３００は、これらの例に限定されない。
【００２３】
（１）基地局２００
基地局２００は、無線アクセスネットワーク（Radio  Access  Network：ＲＡＮ）のノードであり、基地局２００のカバレッジ内に位置する端末装置（例えば、端末装置３００）との無線通信を行う。例えば、基地局２００は、ｅＮＢである。
【００２４】
（２）アクセスポイント４０
アクセスポイント４０は、基地局２００のＲＡＴ（Radio  Access  Technology）（例えば、ＬＴＥ）とは異なる他のＲＡＴのアクセスポイントであり、端末装置（例えば、端末装置３００）との無線通信を行う。例えば、当該他のＲＡＴは、無線ローカルエリアネットワーク（ＷＬＡＮ）であり、アクセスポイント４０は、ＷＬＡＮのアクセスポイントである。より具体的には、例えば、アクセスポイント４０は、ＩＥＥＥ８０２.１１シリーズ（ＩＥＥＥ８０２.１１ｂ／ａ／ｇ／ｎ／ａｃ／ａｄ／ｊ等）のうちのいずれかに準拠したアクセスポイントである。
【００２５】
なお、上記他のＲＡＴは、ＷＬＡＮに限られず、アクセスポイント４０は、ＷＬＡＮのアクセスポイントに限られない。一例として、上記他のＲＡＴは、無線パーソナルエリアネットワーク（Wireless  Personal  Area  Network：ＷＰＡＮ）（具体的には、Ｂｌｕｅｔｏｏｔｈ（登録商標）、ＵＷＢ（Ultra  WideBand）又はＺｉｇＢｅｅ（登録商標）等）であってもよく、アクセスポイント４０は、ＷＰＡＮのアクセスポイントであってもよく、ＩＥＥＥ８０２．１５シリーズのいずれかに準拠してもよい。別の例として、上記他のＲＡＴは、無線メトロポリタンエリアネットワーク（Wireless  Metropolitan  Area  Network：ＷＭＡＮ）（具体的には、ＷｉＭＡＸ（Worldwide  Interoperability  for  Microwave  Access）（登録商標）、ｆｌａｓｈ−ＯＦＤＭ（登録商標）又はｉＢｕｒｓｔ（登録商標）等）であってもよく、アクセスポイント４０は、ＷＭＡＮのアクセスポイントであってもよく、ＩＥＥＥ８０２．１６シリーズのいずれか、又はＩＥＥＥ８０２．２０シリーズのいずれかに準拠してもよい。また、アクセスポイント４０は、「アクセスポイント」ではなく「基地局」と呼ばれてもよい。
【００２６】
（３）端末装置３００
端末装置３００は、基地局２００との無線通信を行う。例えば、端末装置３００は、基地局２００のカバレッジ内に位置する場合に、基地局２００との無線通信を行う。
【００２７】
さらに、端末装置３００は、アクセスポイント４０との無線通信を行う。例えば、端末装置３００は、アクセスポイント４０のカバレッジ内に位置する場合に、アクセスポイント４０との無線通信を行う。
【００２８】
（４）ゲートウェイ１００
とりわけ本発明の実施形態では、基地局２００は、端末装置３００と直接通信するのみではなく、アクセスポイント４０経由でも端末装置３００と通信する。例えば、ゲートウェイ１００は、基地局２００からデータを受信し、基地局２００の代わりに、アクセスポイント４０経由で端末装置３００へ当該データを送信する。さらに、例えば、ゲートウェイ１００は、基地局２００の代わりに、アクセスポイント４０経由で端末装置３００により送信されるデータを受信し、当該データを基地局２００へ送信する。
【００２９】
＜２．２．ゲートウェイの構成例＞
次に、図２を参照して、第１の実施形態に係るゲートウェイ１００の構成の例を説明する。図２は、第１の実施形態に係るゲートウェイ１００の概略的な構成の例を示すブロック図ある。図２を参照すると、ゲートウェイ１００は、ネットワーク通信部１１０、記憶部１２０及び処理部１３０を備える。
【００３０】
ネットワーク通信部１１０は、ネットワーク５１から信号を受信し、ネットワーク５１へ信号を送信する。また、ネットワーク通信部１１０は、ネットワーク５３から信号を受信し、ネットワーク５３へ信号を送信する。
【００３１】
記憶部１２０は、ゲートウェイ１００の動作のためのプログラム及びパラメータ、並びに様々なデータを、一時的に又は恒久的に記憶する。
【００３２】
処理部１３０は、ゲートウェイ１００の様々な機能を提供する。処理部１３０は、情報取得部１３１、情報提供部１３３及び通信処理部１３５を含む。なお、処理部１３０は、これらの構成要素以外の他の構成要素をさらに含み得る。即ち、処理部１３０は、これらの構成要素の動作以外の動作も行い得る。
【００３３】
情報取得部１３１、情報提供部１３３及び通信処理部１３５の具体的な動作は、後に詳細に説明する。
【００３４】
ネットワーク通信部１１０は、ネットワークアダプタ又はネットワークインタフェースカードなどを含んでもよい。記憶部１２０は、メモリ（例えば、不揮発性メモリ及び／若しくは揮発性メモリ）並びに／又はハードディスクなどを含んでもよい。処理部１３０は、プロセッサなどを含んでもよい。
【００３５】
＜２．３．基地局の構成例＞
次に、図３を参照して、第１の実施形態に係る基地局２００の構成の例を説明する。図３は、第１の実施形態に係る基地局２００の概略的な構成の例を示すブロック図ある。図３を参照すると、基地局２００は、無線通信部２１０、ネットワーク通信部２２０、記憶部２３０及び処理部２４０を備える。
【００３６】
無線通信部２１０は、信号を無線で送受信する。例えば、無線通信部２１０は、端末装置からの信号を受信し、端末装置への信号を送信する。
【００３７】
ネットワーク通信部２２０は、ネットワーク５１から信号を受信し、ネットワーク５１へ信号を送信する。
【００３８】
記憶部２３０は、基地局２００の動作のためのプログラム及びパラメータ、並びに様々なデータを、一時的に又は恒久的に記憶する。
【００３９】
処理部２４０は、基地局２００の様々な機能を提供する。処理部２４０は、通信処理部２４１及び情報提供部２４３を含む。なお、処理部２４０は、これらの構成要素以外の他の構成要素をさらに含み得る。即ち、処理部２４０は、これらの構成要素の動作以外の動作も行い得る。
【００４０】
通信処理部２４１及び情報提供部２４３の具体的な動作は、後に詳細に説明する。
【００４１】
なお、無線通信部２１０は、アンテナ及び高周波（Radio  Frequency：ＲＦ）回路などを含んでもよい。ネットワーク通信部２２０は、ネットワークアダプタ又はネットワークインタフェースカードなどを含んでもよい。記憶部２３０は、メモリ（例えば、不揮発性メモリ及び／若しくは揮発性メモリ）並びに／又はハードディスクなどを含んでもよい。処理部２４０は、ベースバンド（Baseband：ＢＢ）プロセッサ及び／又は他のプロセッサなどを含んでもよい。
【００４２】
＜２．４．端末装置の構成例＞
次に、図４を参照して、第１の実施形態に係る端末装置３００の構成の例を説明する。図４は、第１の実施形態に係る端末装置３００の概略的な構成の例を示すブロック図ある。図４を参照すると、端末装置３００は、無線通信部３１０、記憶部３２０及び処理部３３０を備える。
【００４３】
無線通信部３１０は、信号を無線で送受信する。例えば、無線通信部３１０は、基地局からの信号を受信し、基地局への信号を送信する。
【００４４】
記憶部３２０は、端末装置３００の動作のためのプログラム及びパラメータ、並びに様々なデータを、一時的に又は恒久的に記憶する。
【００４５】
処理部３３０は、端末装置３００の様々な機能を提供する。処理部３３０は、第１通信処理部３３１、情報取得部３３３、情報提供部３３５及び第２通信処理部３３７を含む。なお、処理部３３０は、これらの構成要素以外の他の構成要素をさらに含み得る。即ち、処理部３３０は、これらの構成要素の動作以外の動作も行い得る。
【００４６】
第１通信処理部３３１、情報取得部３３３、情報提供部３３５及び第２通信処理部３３７の具体的な動作は、後に詳細に説明する。
【００４７】
無線通信部３１０は、アンテナ及び高周波（ＲＦ）回路などを含んでもよい。記憶部３２０は、メモリ（例えば、不揮発性メモリ及び／若しくは揮発性メモリ）並びに／又はハードディスクなどを含んでもよい。処理部３３０は、ベースバンド（ＢＢ）プロセッサ及び／又は他のプロセッサなどを含んでもよい。
【００４８】
＜２．５．技術的特徴＞
次に、図５及び図６を参照して、第１の実施形態に係る技術的特徴を説明する。
【００４９】
（１）ＡＰ経由での端末装置への送信
（ａ）基地局２００の動作
基地局２００（通信処理部２４１）は、基地局２００のＰＤＣＰレイヤにおける送信処理を行う。例えば、基地局２００（通信処理部２４１）は、ＰＤＣＰレイヤのデータユニットを生成する。当該データユニットは、換言すると、ＰＤＣＰのＰＤＵ（Packet  Data  Unit）又はＰＤＣＰパケットである。
【００５０】
例えば、基地局２００（情報提供部２４３）は、上記データユニットをアクセスポイント４０経由で端末装置３００へ送信する場合に、上記データユニットをゲートウェイ１００に提供する。即ち、基地局２００（情報提供部２４３）は、上記データユニットをゲートウェイ１００へ送信する。
【００５１】
なお、基地局２００（通信処理部２４１）は、ＰＤＣＰレイヤの他のデータユニットを生成し、当該他のデータユニットを端末装置３００へ直接送信してもよい。この場合に、基地局２００（通信処理部２４１）は、ＲＬＣレイヤ及びＭＡＣレイヤにおける送信処理を行ってもよい。
【００５２】
（ｂ）ゲートウェイ１００の動作
ゲートウェイ１００（情報取得部１３１）は、上記データユニット（即ち、基地局２００のＰＤＣＰレイヤからのデータユニット）を取得する。上述したように、当該データユニットは、換言すると、ＰＤＣＰのＰＤＵ又はＰＤＣＰパケットである。そして、ゲートウェイ１００（通信処理部１３５）は、送達確認を可能にするプロトコルを使用して、アクセスポイント４０経由で端末装置３００へ上記データユニットを送信する。
【００５３】
例えば、上記プロトコルは、トランスポートレイヤのプロトコルである。一例として、上記プロトコルは、ＴＣＰ（Transmission  Control  Protocol）である。即ち、ゲートウェイ１００（通信処理部１３５）は、ＴＣＰを使用して、アクセスポイント４０経由で端末装置３００へ上記データユニットを送信する。より具体的には、例えば、ゲートウェイ１００（通信処理部１３５）は、上記データユニットを含むＴＣＰパケットを生成し、当該ＴＣＰパケットを含むＩＰ（Internet  Protocol）パケットを生成し、当該ＩＰパケットを送信する。例えば、アクセスポイント４０経由での上記データユニットの送受信のために使用されるＩＰアドレス（即ち、ゲートウェイ１００のＩＰアドレス、及び／又は端末装置３００のＩＰアドレス）は、基地局２００（通信処理部２４１）により端末装置３００へ送信される。例えば、当該ＩＰアドレスは、ゲートウェイ１００（情報提供部１３３）により基地局２００に提供される。例えば、ゲートウェイ１００は、端末装置３００のＩＰアドレスを含むＡＰ  Ａｄｄｉｔｉｏｎ  Ｒｅｑｕｅｓｔ  Ａｃｋｎｏｗｌｅｄｇｅメッセージを基地局２００へ送信し、基地局２００は、端末装置３００のＩＰアドレスを含むＲＲＣ  Ｃｏｎｎｅｃｔｉｏｎ  Ｒｅｃｏｎｆｉｇｕｒａｔｉｏｎメッセージを端末装置３００へ送信する。端末装置３００のＩＰアドレスは、ゲートウェイ１００により割り当てられてもよい。また、ゲートウェイ１００のＩＰアドレスも、端末装置３００のＩＰアドレスと同様に基地局２００及び端末装置３００へ送信されてもよい。
【００５４】
また、例えば、ゲートウェイ１００（通信処理部１３５）は、上記データパケットについてのＰＤＣＰシーケンス番号と、上記データパケットを含む上記プロトコルのパケット（例えば、ＴＣＰパケット）のシーケンス番号との対応関係を管理する。
【００５５】
これにより、例えば、アクセスポイント４０経由で基地局２００から端末装置３００へ送信されるデータの送達確認を行うことが可能になる。また、アクセスポイント４０に新たな機能を追加する必要がないので、既存のアクセスポイントが利用可能になる。
【００５６】
当然ながら、上記プロトコルは、ＴＣＰに限られず、他のプロトコルであってもよい。一例として、上記プロトコルは、ＳＣＴＰ（Stream  Control  Transmission  Protocol）であってもよい。
【００５７】
（２）端末装置による受信
（ａ）アクセスポイント６０経由での受信
端末装置３００（第２通信処理部３３７）は、上記プロトコル（例えば、ＴＣＰ）を使用して上記データユニット（即ち、基地局２００のＰＤＣＰレイヤからのデータユニットであって、上記プロトコルを使用してアクセスポイント４０経由で端末装置３００へ送信された当該データユニット）を受信する。例えば、端末装置３００は、上記データユニットの受信が正常に完了した場合には、ＡＣＫ（Acknowledgements）をゲートウェイ１００へ送信し、上記データユニットの受信が正常に完了しなかった場合には、ＮＡＣＫ（Negative  Acknowledgements）をゲートウェイ１００へ送信する。これにより、例えば、ゲートウェイ１００がデータの送達確認を実際に行うことが可能になる。
【００５８】
（ｂ）ＰＤＣＰレイヤにおける受信処理
さらに、端末装置３００（情報取得部３３３）は、上記データユニットを取得する。そして、端末装置３００（第１通信処理部３３１）は、端末装置３００における上記データユニットの受信処理を行う。例えば、端末装置３００（第１通信処理部３３１）は、端末装置３００のＰＤＣＰレイヤにおける上記データユニットの受信処理を行う。
【００５９】
例えば、上記受信処理は、端末装置３００の上記ＰＤＣＰレイヤのリオーダリングを含む。これにより、例えば、基地局２００から端末装置３００へ直接送信されたデータユニットと、アクセスポイント６０経由で基地局２００から端末装置３００へ送信されたデータユニットとを、正しい順序で処理することが可能になる。また、例えば、上記受信処理は、ＰＤＣＰヘッダの除去、暗号解読（deciphering）及び／又はヘッダデコンプレッション（header  decompression）等を含む。
【００６０】
なお、例えば、第１通信処理部３３１は、ＰＤＣＰレイヤに加えて、ＲＬＣレイヤ、ＭＡＣレイヤ、物理レイヤ及び／又はＲＲＣ（Radio  Resource  Control）レイヤ等の処理（即ち、基地局２００との直接的な送受信の処理）を行う。また、第２通信処理部３３７は、上記プロトコル（例えば、ＴＣＰ）のレイヤ及びそれ以下のレイヤの処理（即ち、アクセスポイント４０経由での送受信の処理）を行う。また、情報取得部３３３は、第１通信処理部３３１のために第２通信処理部３３７から情報（例えば、上記データユニット）を取得し、情報提供部３３５は、第１通信処理部３３１からの情報を第２通信処理部３３７に提供する。
【００６１】
（３）送達確認の結果
（ａ）送達確認の結果の提供
例えば、ゲートウェイ１００（情報提供部１３３）は、上記プロトコル（例えば、ＴＣＰ）の送達確認の結果を基地局２００のＰＤＣＰレイヤに提供する。例えば、当該結果は、上記データユニットの送達が確認されたことを示す情報（例えば、ＡＣＫ）を含む。例えば、上記結果は、上記データユニットの送達が確認されなかったことを示す情報（例えば、ＮＡＣＫ）を含む。
【００６２】
これにより、例えば、アクセスポイント６０経由でＰＤＣＰのＰＤＵが送信されたとしても（即ち、ＲＬＣが使用されずにＰＤＣＰのＰＤＵが送信されたとしても）、基地局２００のＰＤＣＰレイヤは、ＲＬＣを使用される場合と同様に動作することが可能になる。
【００６３】
（ｂ）送達確認の結果に基づく動作
例えば、基地局２００（通信処理部２４１）は、上記プロトコル（例えば、ＴＣＰ）の送達確認の結果に基づいて、上記ＰＤＣＰレイヤのリオーダリングウィンドウを進める（advance）。
【００６４】
具体的には、例えば、基地局２００（通信処理部２４１）は、上記リオーダリングウィンドウの前方にある１つ以上のデータの送達が確認されると、当該１つ以上のデータユニットの分だけ上記リオーダリングウィンドウを進める。また、基地局２００（通信処理部２４１）は、上記１つ以上のデータユニットをバッファから削除する。
【００６５】
また、例えば、基地局２００（通信処理部２４１）は、上記リオーダリングウィンドウの前方にある１つ以上のデータの送達が一定期間内に確認できなければ、当該１つ以上のデータユニットの分だけ上記リオーダリングウィンドウを自動的に進める。また、基地局２００（通信処理部２４１）は、上記１つ以上のデータユニットをバッファから削除する。
【００６６】
これにより、例えば、バッファにおけるデータの滞留を回避することが可能になる。そのため、データ送信の滞留、及びバッファ溢れによるデータロスも回避され得る。また、端末装置３００についてのスループットも向上し得る。
【００６７】
（４）送受信の例
図５は、第１の実施形態におけるデータの送受信の例を説明するための説明図である。図５を参照すると、ゲートウェイ１００、基地局２００、端末装置３００及びアクセスポイント４０が示されている。例えば、基地局２００は、ＲＬＣ及びＭＡＣ等を使用して、基地局２００のＰＤＣＰのＰＤＵを端末装置３００へ直接的に送信する。また、例えば、ゲートウェイ１００は、基地局２００の代わりに、ＴＣＰ及びＩＰ等を使用して、基地局２００のＰＤＣＰのＰＤＵを、アクセスポイント４０経由で端末装置３００へ送信する。
【００６８】
（５）処理の流れ
（ａ）第１の処理
図６は、第１の実施形態における第１の処理の概略的な流れの一例を示すシーケンス図である。当該第１の処理は、アクセスポイント４０経由でのデータの送受信に関する処理である。なお、図６には、アクセスポイント４０は明示されていないが、アクセスポイント４０はゲートウェイ１００と端末装置３００との間に位置することに留意する。
【００６９】
基地局２００は、ＰＤＣＰパケット（シーケンス番号１００１）を生成し、当該ＰＤＣＰパケットをゲートウェイ１００へ送信する（Ｓ４０１）。ゲートウェイ１００は、当該ＰＤＣＰパケットを含むＴＣＰパケット（シーケンス番号：８０）を生成し、当該ＴＣＰパケットを（アクセスポイント６０経由で）端末装置３００へ送信する（Ｓ４０３）。端末装置３００は、当該ＴＣＰパケット（及び上記ＰＤＣＰパケット）を受信し、この受信は正常に完了する。そのため、端末装置３００は、上記ＴＣＰパケットに対応するＡＣＫをゲートウェイ１００へ送信し（Ｓ４０５）、さらに、ゲートウェイ１００は、上記ＰＤＣＰパケットに対応するＡＣＫを基地局２００へ送信する（Ｓ４０７）。例えば、基地局２００は、リオーダリングウィンドウを進める。端末装置３００は、上記ＴＣＰパケットに含まれる上記ＰＤＣＰパケットをＰＤＣＰレイヤのために取得し（Ｓ４０９）、ＰＤＣＰレイヤにおける受信処理を行う。
【００７０】
基地局２００は、ＰＤＣＰパケット（シーケンス番号１００２）を生成し、当該ＰＤＣＰパケットをゲートウェイ１００へ送信する（Ｓ４１１）。ゲートウェイ１００は、当該ＰＤＣＰパケットを含むＴＣＰパケット（シーケンス番号：８１）を生成し、当該ＴＣＰパケットを（アクセスポイント６０経由で）端末装置３００へ送信する（Ｓ４１３）。端末装置３００は、当該ＴＣＰパケット（及び上記ＰＤＣＰパケット）を受信し、この受信は正常に完了する。そのため、端末装置３００は、上記ＴＣＰパケットに対応するＡＣＫをゲートウェイ１００へ送信し（Ｓ４１５）、さらに、ゲートウェイ１００は、上記ＰＤＣＰパケットに対応するＡＣＫを基地局２００へ送信する（Ｓ４１７）。例えば、基地局２００は、リオーダリングウィンドウを進める。端末装置３００は、上記ＴＣＰパケットに含まれる上記ＰＤＣＰパケットをＰＤＣＰのために取得し（Ｓ４１９）、ＰＤＣＰレイヤにおける受信処理を行う。
【００７１】
基地局２００は、ＰＤＣＰパケット（シーケンス番号１００３）を生成し、当該ＰＤＣＰパケットをゲートウェイ１００へ送信する（Ｓ４２１）。ゲートウェイ１００は、当該ＰＤＣＰパケットを含むＴＣＰパケット（シーケンス番号：８２）を生成し、当該ＴＣＰパケットを（アクセスポイント６０経由で）端末装置３００へ送信する（Ｓ４２３）。しかし、当該ＴＣＰパケットの受信が端末装置３００において正常に完了することはなく、ＡＣＫのタイムアウトが検出される（Ｓ４２５）。例えば、この場合にも、基地局２００は、リオーダリングウィンドウを進める。
【００７２】
基地局２００は、ＰＤＣＰパケット（シーケンス番号１００４）を生成し、当該ＰＤＣＰパケットをゲートウェイ１００へ送信する（Ｓ４３１）。ゲートウェイ１００は、当該ＰＤＣＰパケットを含むＴＣＰパケット（シーケンス番号：８３）を生成し、当該ＴＣＰパケットを（アクセスポイント６０経由で）端末装置３００へ送信する（Ｓ４３３）。端末装置３００は、当該ＴＣＰパケット（及び上記ＰＤＣＰパケット）を受信し、この受信は正常に完了する。そのため、端末装置３００は、上記ＴＣＰパケットに対応するＡＣＫをゲートウェイ１００へ送信し（Ｓ４３５）、さらに、ゲートウェイ１００は、上記ＰＤＣＰパケットに対応するＡＣＫを基地局２００へ送信する（Ｓ４３７）。例えば、基地局２００は、リオーダリングウィンドウを進める。端末装置３００は、上記ＴＣＰパケットに含まれる上記ＰＤＣＰパケットをＰＤＣＰレイヤのために取得し（Ｓ４３９）、ＰＤＣＰレイヤにおける受信処理を行う。
【００７３】
以上、第１の実施形態における処理の概略的な流れの一例を説明した。なお、上述した例では、１つのＰＤＣＰパケットの送受信及び送達確認の後に、別のＰＤＣＰパケットの送受信及び送達確認が行われているが、第１の実施形態における処理はこの例に限定されない。当然ながら、複数のＰＤＣＰパケットの送受信及び送達確認が並列で行われてもよい。また、上述した例では、ゲートウェイ１００はＴＣＰパケット（シーケンス番号：８２）を再送していないが、第１の実施形態における処理はこの例に限定されない。当然ながら、ゲートウェイ１００はＴＣＰパケット（シーケンス番号：８２）を再送してもよい。
【００７４】
（ｂ）第２の処理
図７は、第１の実施形態における第２の処理の概略的な流れの一例を示すシーケンス図である。当該第２の処理は、端末装置３００へのＩＰアドレスの送信に関する処理である。
【００７５】
基地局２００は、ＡＰ  Ａｄｄｉｔｉｏｎ  Ｒｅｑｕｅｓｔメッセージをゲートウェイ１００へ送信する（Ｓ４５１）。すると、ゲートウェイ１００は、端末装置３００のＩＰアドレスを含むＡＰ  Ａｄｄｉｔｉｏｎ  Ｒｅｑｕｅｓｔ  Ａｃｋｎｏｗｌｅｄｇｅメッセージを基地局２００へ送信する（Ｓ４５３）。
【００７６】
さらに、基地局２００は、端末装置３００のＩＰアドレスを含むＲＲＣ  Ｃｏｎｎｅｃｔｉｏｎ  Ｒｅｃｏｎｆｉｇｕｒａｔｉｏｎメッセージを端末装置３００へ送信する（Ｓ４５５）。そして、端末装置３００は、ＲＲＣ  Ｃｏｎｎｅｃｔｉｏｎ  Ｒｅｃｏｎｆｉｇｕｒａｔｉｏｎ  Ｃｏｍｐｌｅｔｅメッセージを基地局２００へ送信する（Ｓ４５７）。
【００７７】
基地局２００は、ＡＰ  Ｒｅｃｏｎｆｉｇｕｒａｔｉｏｎ  Ｃｏｍｐｌｅｔｅメッセージをゲートウェイ１００へ送信する（Ｓ４５９）。
【００７８】
端末装置３００及びアクセスポイント４０は、ＷＬＡＮアクセス手続きを行う（Ｓ４６１）。
【００７９】
以上、上記第２の処理の概略的な流れの一例を説明したが、上記第２の処理はこの例に限定されない。例えば、ゲートウェイ１００は、端末装置３００のＩＰアドレスに加えて、ゲートウェイ１００のＩＰアドレスを基地局２００へ送信してもよい。また、基地局２００は、端末装置３００のＩＰアドレスに加えて、ゲートウェイ１００のＩＰアドレスを端末装置３００へ送信してもよい。
【００８０】
（６）その他
（ａ）ステータスレポート
端末装置３００（第１通信処理部３３１）は、上記データユニット（即ち、上記プロトコル（例えば、ＴＣＰ）を使用してアクセスポイント４０経由で端末装置３００へ送信された当該データユニット）が受信されたことを示すＰＤＣＰステータスレポートを基地局２００へ送信してもよい。端末装置３００（第１通信処理部３３１）は、当該ＰＤＣＰステータスレポートを基地局２００へ直接送信してもよい。また、当該ＰＤＣＰステータスレポートの送信は、ハンドオーバの有無にかかわらず行われてもよい。これにより、例えば、基地局２００は、データユニットの送達確認をより確実に行うことが可能になる。
【００８１】
（ｂ）輻輳制御
基地局２００（通信処理部２４１）は、上記プロトコル（例えば、ＴＣＰ）からの情報に基づいて、基地局２００と端末装置３００との間の輻輳の制御を行ってもよい。例えば、当該制御は、基地局２００から端末装置３００へ直接送信されるデータの量と、基地局２００からアクセスポイント４０経由で端末装置３００へ送信されるデータの量とを調整することを含んでもよい。なお、上記プロトコルからの上記情報は、ゲートウェイ１００により基地局２００に提供されてもよい。
【００８２】
具体的には、基地局２００（通信処理部２４１）は、基地局２００から端末装置３００への直接的なデータパスでの輻輳、及び／又は、アクセスポイント４０経由のデータパスでの輻輳を検出してもよい。そして、基地局２００（通信処理部２４１）は、これらのデータパスの間で、送信されるデータの量を調整してもよい。例えば、基地局２００（通信処理部２４１）は、上記直接的なデータパスでの輻輳を検出すると、上記直接的なデータパスにおいて送信されるデータの量を減らし、アクセスポイント４０経由の上記データパスにおいて送信されるデータの量を増やしてもよい。また、基地局２００（通信処理部２４１）は、アクセスポイント４０経由の上記データパスでの輻輳を検出すると、アクセスポイント４０経由の上記データパスにおいて送信されるデータの量を減らし、上記直接的なデータパスにおいて送信されるデータの量を増やしてもよい。
【００８３】
一例として、基地局２００（通信処理部２４１）は、上記プロトコル（例えば、ＴＣＰ）の送達確認の結果に基づいて、アクセスポイント４０経由の上記データパスでの輻輳を検出してもよい。別の例として、基地局２００（通信処理部２４１）は、上記プロトコルのスロースタートの実行の有無に基づいて、アクセスポイント４０経由の上記データパスでの輻輳を検出してもよい。さらに別の例として、基地局２００（通信処理部２４１）は、端末装置３００により送信されるＡＣＫに示されるバッファ使用量情報に基づいて、アクセスポイント４０経由の上記データパスでの輻輳を検出してもよい。さらに別の例として、基地局２００（通信処理部２４１）は、ＳＮＭＰ（Simple  Network  Management  Protocol）プロトコルをサポートし、ＭＩＢ（Management  Information  Base）情報に基づいて、アクセスポイント４０経由の上記データパスでの輻輳を検出してもよい。
【００８４】
このような輻輳制御により、端末装置３００についてのスループットも向上し得る。
【００８５】
以上、第１の実施形態の例を説明した。なお、上述した例は、ダウンリンクでのデータ送信の例であるが、第１の実施形態では、アップリンクでのデータ送信も同様に行われてもよい。例えば、端末装置３００の情報取得部３３３、情報提供部３３５及び第２通信処理部３３７が、それぞれ、ゲートウェイ１００の情報取得部１３１、情報提供部１３３及び通信処理部１３５の上述した処理と同様の処理を行ってもよく、端末装置３００の第１通信処理部３３１が、基地局２００の通信処理部２４１の上述した処理と同様の処理を行ってもよい。反対に、ゲートウェイ１００の情報取得部１３１、情報提供部１３３及び通信処理部１３５が、それぞれ、端末装置３００の情報取得部３３３、情報提供部３３５及び第２通信処理部３３７の上述した処理と同様の処理を行ってもよく、基地局２００の通信処理部２４１が、端末装置３００の第１通信処理部３３１の上述した処理と同様の処理を行ってもよい。
【００８６】
＜＜３．第２の実施形態＞＞
続いて、図８〜図１３を参照して、本発明の第２の実施形態を説明する。
【００８７】
第１の実施形態では、ゲートウェイ１００及び基地局２００が存在するが、第２の実施形態では、ゲートウェイ１００は存在せず、ゲートウェイ１００の機能が基地局２００内に実装される。
【００８８】
＜３．１．システムの構成例＞
まず、図８を参照して、第２の実施形態に係るシステム２の構成の例を説明する。図８は、第２の実施形態に係るシステム２の概略的な構成の一例を示す説明図である。図８を参照すると、システム２は、基地局２００、端末装置３００及びアクセスポイント４０を含む。基地局２００及びアクセスポイント４０は、ネットワーク５５を介して信号を送受信する。
【００８９】
基地局２００、アクセスポイント４０及び端末装置３００についての説明は、第１の実施形態と第２の実施形態との間に特段の差異はない。よって、ここでは重複する説明を省略する。
【００９０】
＜３．２．基地局の構成例＞
次に、図９を参照して、第２の実施形態に係る基地局２００の構成の例を説明する。図９は、第２の実施形態に係る基地局２００の概略的な構成の例を示すブロック図ある。図９を参照すると、基地局２００は、無線通信部２１０、ネットワーク通信部２２０、記憶部２３０及び処理部２５０を備える。
【００９１】
無線通信部２１０、ネットワーク通信部２２０及び記憶部２３０についての説明は、第１の実施形態と第２の実施形態との間に特段の差異はない。よって、ここでは重複する説明を省略する。
【００９２】
処理部２５０は、基地局２００の様々な機能を提供する。処理部２５０は、第１通信処理部２５１、情報取得部２５３、情報提供部２５５及び第２通信処理部２５７を含む。なお、処理部２５０は、これらの構成要素以外の他の構成要素をさらに含み得る。即ち、処理部２５０は、これらの構成要素の動作以外の動作も行い得る。
【００９３】
第１通信処理部２５１、情報取得部２５３、情報提供部２５５及び第２通信処理部２５７の具体的な動作は、後に説明する。なお、第２の実施形態における第１通信処理部２５１は、第１の実施形態における基地局２００の通信処理部２４１に対応する。また、第２の実施形態における情報取得部２５３、情報提供部２５５及び第２通信処理部２５７は、第１の実施形態におけるゲートウェイ１００の情報取得部１３１、情報提供部１３３及び通信処理部１３５に対応する。
【００９４】
なお、処理部２５０は、ベースバンド（ＢＢ）プロセッサ及び／又は他のプロセッサなどを含んでもよい。
【００９５】
＜３．３．端末装置の構成例＞
次に、図１０を参照して、第２の実施形態に係る端末装置３００の構成の例を説明する。図１０は、第２の実施形態に係る端末装置３００の概略的な構成の例を示すブロック図ある。図１０を参照すると、端末装置３００は、無線通信部３１０、記憶部３２０及び処理部３４０を備える。
【００９６】
無線通信部３１０及び記憶部３２０についての説明は、第１の実施形態と第２の実施形態との間に特段の差異はない。よって、ここでは重複する説明を省略する。
【００９７】
処理部３４０は、端末装置３００の様々な機能を提供する。処理部３４０は、第１通信処理部３４１、情報取得部３４３、情報提供部３４５及び第２通信処理部３４７を含む。なお、処理部３４０は、これらの構成要素以外の他の構成要素をさらに含み得る。即ち、処理部３４０は、これらの構成要素の動作以外の動作も行い得る。
【００９８】
第１通信処理部３４１、情報取得部３４３、情報提供部３４５及び第２通信処理部３４７の具体的な動作は、後に説明する。なお、第２の実施形態における第１通信処理部３４１、情報取得部３４３、情報提供部３４５及び第２通信処理部３４７は、それぞれ、第１の実施形態における第１通信処理部３３１、情報取得部３３３、情報提供部３３５及び第２通信処理部３３７に対応する。
【００９９】
処理部３４０は、ベースバンド（ＢＢ）プロセッサ及び／又は他のプロセッサなどを含んでもよい。
【０１００】
＜３．４．技術的特徴＞
次に、図１１〜図１３を参照して、第２の実施形態に係る技術的特徴を説明する。
【０１０１】
（１）ＡＰ経由での端末装置への送信
基地局２００（第１通信処理部２５１）は、基地局２００のＰＤＣＰレイヤにおける送信処理を行う。例えば、基地局２００（第１通信処理部２５１）は、ＰＤＣＰレイヤのデータユニットを生成する。
【０１０２】
また、基地局２００（情報取得部２５３）は、上記データユニット（即ち、基地局２００のＰＤＣＰレイヤからのデータユニット）を取得する。そして、基地局２００（第２通信処理部２５７）は、送達確認を可能にするプロトコルを使用して、アクセスポイント４０経由で端末装置３００へ上記データユニットを送信する。
【０１０３】
これらの点についての説明は、動作主体の相違（即ち、第１の実施形態では動作主体がゲートウェイ１００及び基地局２００であるが、第２の実施形態では動作主体が基地局２００のみであること）を除き、第１の実施形態と第２の実施形態との間に特段の差異はない。よって、ここでは重複する説明を省略する。なお、例えば、アクセスポイント４０経由での上記データユニットの送受信のために使用されるＩＰアドレス（即ち、基地局２００のＩＰアドレス、及び／又は端末装置３００のＩＰアドレス）は、基地局２００（第１通信処理部２５１）により端末装置３００へ送信される。このとき、端末装置３００のＩＰアドレスは、例えば、ＲＲＣ  Ｃｏｎｎｅｃｔｉｏｎ  Ｓｅｔｕｐメッセージ、又はＲＲＣ  Ｃｏｎｎｅｃｔｉｏｎ  Ｒｅｃｏｎｆｉｇｕｒａｔｉｏｎメッセージを用いて送信される。即ち、基地局２００（第１通信処理部２５１）は、端末装置３００のＩＰアドレスを含むＲＲＣ  Ｃｏｎｎｅｃｔｉｏｎ  Ｓｅｔｕｐメッセージ又はＲＲＣ  Ｃｏｎｎｅｃｔｉｏｎ  Ｒｅｃｏｎｆｉｇｕｒａｔｉｏｎメッセージを、端末装置３００へ送信する。端末装置３００のＩＰアドレスは、基地局２００により割り当てられてもよい。また、基地局２００のＩＰアドレスも、端末装置３００のＩＰアドレスと同様に端末装置３００へ送信されてもよい。
【０１０４】
（２）端末装置による受信
端末装置３００（第２通信処理部３４７）は、上記プロトコル（例えば、ＴＣＰ）を使用して上記データユニット（即ち、基地局２００のＰＤＣＰレイヤからのデータユニットであって、上記プロトコルを使用してアクセスポイント４０経由で端末装置３００へ送信された当該データユニット）を受信する。
【０１０５】
さらに、端末装置３００（情報取得部３４３）は、上記データユニットを取得する。そして、端末装置３００（第１通信処理部３４１）は、端末装置３００における上記データユニットの受信処理を行う。例えば、端末装置３００（第１通信処理部３４１）は、端末装置３００のＰＤＣＰレイヤにおける上記データユニットの受信処理を行う。
【０１０６】
これらの点についての説明は、端末装置３００の構成要素の符号の相違を除き、第１の実施形態と第２の実施形態との間に特段の差異はない。よって、ここでは重複する説明を省略する。
【０１０７】
（３）送達確認の結果
例えば、基地局２００（情報提供部２５５）は、上記プロトコル（例えば、ＴＣＰ）の送達確認の結果を基地局２００のＰＤＣＰレイヤに提供する。
【０１０８】
例えば、基地局２００（第１通信処理部２５１）は、上記プロトコル（例えば、ＴＣＰ）の送達確認の結果に基づいて、上記ＰＤＣＰレイヤのリオーダリングウィンドウを進める（advance）。
【０１０９】
これらの点についての説明は、動作主体の相違（即ち、第１の実施形態では動作主体がゲートウェイ１００及び基地局２００であるが、第２の実施形態では動作主体が基地局２００のみであること）を除き、第１の実施形態と第２の実施形態との間に特段の差異はない。よって、ここでは重複する説明を省略する。
【０１１０】
（４）送受信の例
図１１は、第２の実施形態におけるデータの送受信の例を説明するための説明図である。図１１を参照すると、基地局２００、端末装置３００及びアクセスポイント４０が示されている。例えば、基地局２００は、ＲＬＣ及びＭＡＣ等を使用して、基地局２００のＰＤＣＰのＰＤＵを端末装置３００へ直接的に送信する。また、例えば、基地局２００は、ＴＣＰ及びＩＰ等を使用して、基地局２００のＰＤＣＰのＰＤＵを、アクセスポイント４０経由で端末装置３００へ送信する。
【０１１１】
（５）処理の流れ
（ａ）第１の処理
図１２は、第２の実施形態における第１の処理の概略的な流れの一例を示すシーケンス図である。当該第１の処理は、アクセスポイント４０経由でのデータの送受信に関する処理である。なお、図１２には、アクセスポイント４０は明示されていないが、アクセスポイント４０は基地局２００と端末装置３００との間に位置することに留意する。
【０１１２】
当該第１の処理の概略的な流れの例の説明は、動作主体の相違（即ち、第１の実施形態では送信側にゲートウェイ１００及び基地局２００が存在するが、第２の実施形態では送信側に基地局２００のみが存在すること）と、符号の相違とを除き、第１の実施形態と第２の実施形態との間に特段の差異はない。よって、ここでは重複する説明を省略する。
【０１１３】
（ｂ）第２の処理
図１３は、第２の実施形態における第２の処理の概略的な流れの一例を示すシーケンス図である。当該第２の処理は、端末装置３００へのＩＰアドレスの送信に関する処理（具体的には、例えば、ｃａｌｌ  ｓｅｔｕｐ  ｆｌｏｗの処理）である。
【０１１４】
端末装置３００は、ＲＲＣ  Ｃｏｎｎｅｃｔｉｏｎ  Ｒｅｑｕｅｓｔメッセージを基地局２００へ送信する（Ｓ５５１）。すると、基地局２００は、端末装置３００のＩＰアドレスを含むＲＲＣ  Ｃｏｎｎｅｃｔｉｏｎ  Ｓｅｔｕｐメッセージを端末装置３００へ送信する（Ｓ５５３）。そして、端末装置３００は、ＲＲＣ  Ｃｏｎｎｅｃｔｉｏｎ  Ｓｅｔｕｐ  Ｃｏｍｐｌｅｔｅメッセージを基地局２００へ送信する（Ｓ５５５）。
【０１１５】
基地局２００は、Ｉｎｉｔｉａｌ  ＵＥ  ＭｅｓｓａｇｅをＭＭＥへ送信し（Ｓ５５７）、当該ＭＭＥは、Ｉｎｉｔｉａｌ  Ｃｏｎｔｅｘｔ  Ｓｅｔｕｐ  Ｒｅｑｕｅｓｔメッセージを基地局２００へ送信する（Ｓ５５９）。
【０１１６】
基地局２００は、ＲＲＣ  Ｃｏｎｎｅｃｔｉｏｎ  Ｒｅｃｏｎｆｉｇｕｒａｔｉｏｎメッセージを端末装置３００へ送信する（Ｓ５６１）。そして、端末装置３００は、ＲＲＣ  Ｃｏｎｎｅｃｔｉｏｎ  Ｒｅｃｏｎｆｉｇｕｒａｔｉｏｎ  Ｃｏｍｐｌｅｔｅメッセージを基地局２００へ送信する（Ｓ５６３）。
【０１１７】
基地局２００は、Ｉｎｉｔｉａｌ  Ｃｏｎｔｅｘｔ  Ｓｅｔｕｐ  Ｃｏｍｐｌｅｔｅメッセージを上記ＭＭＥへ送信する（Ｓ５６５）。そして、上記ＭＭＥ、Ｓ−ＧＷ（Serving  Gateway）及びＰ−ＧＷ（Packet  data  network  Gateway）は、Ｍｏｄｉｆｙ  Ｂｅａｒｅｒ  Ｒｅｑｕｅｓｔメッセージ及びＭｏｄｉｆｙ  Ｂｅａｒｅｒ  Ｒｅｓｐｏｎｓｅメッセージを送受信する（Ｓ５６７）。
【０１１８】
以上、上記第２の処理の概略的な流れの一例を説明したが、上記第２の処理はこの例に限定されない。
【０１１９】
例えば、基地局２００は、端末装置３００のＩＰアドレスを含むＲＲＣ  Ｃｏｎｎｅｃｔｉｏｎ  Ｓｅｔｕｐメッセージを送信する代わりに（又は送信するとともに）、ステップＳ５６１において、端末装置３００のＩＰアドレスを含むＲＲＣ  Ｃｏｎｎｅｃｔｉｏｎ  Ｒｅｃｏｎｆｉｇｕｒａｔｉｏｎメッセージを端末装置３００へ送信してもよい。
【０１２０】
また、例えば、基地局２００は、端末装置３００のＩＰアドレスに加えて、基地局２００のＩＰアドレスも送信してもよい。
【０１２１】
（６）その他
ＰＤＣＰステータスレポート及び輻輳制御についての説明も、第１の実施形態と第２の実施形態との間に特段の差異はない。よって、ここでは重複する説明を省略する。
【０１２２】
以上、第２の実施形態の例を説明した。なお、上述した例は、ダウンリンクでのデータ送信の例であるが、第２の実施形態では、アップリンクでのデータ送信も同様に行われてもよい。例えば、端末装置３００の第１通信処理部３４１、情報取得部３４３、情報提供部３４５及び第２通信処理部３４７が、それぞれ、基地局２００の第１通信処理部２５１、情報取得部２５３、情報提供部２５５及び第２通信処理部２５７の上述した処理と同様の処理を行ってもよい。反対に、基地局２００の第１通信処理部２５１、情報取得部２５３、情報提供部２５５及び第２通信処理部２５７が、それぞれ、端末装置３００の第１通信処理部３４１、情報取得部３４３、情報提供部３４５及び第２通信処理部３４７の上述した処理と同様の処理を行ってもよい。
【０１２３】
＜＜４．第３の実施形態＞＞
続いて、図１４〜図１６を参照して、本発明の第３の実施形態を説明する。
【０１２４】
＜４．１．システムの構成例＞
第３の実施形態に係るシステムの構成の例の説明は、例えば、第１の実施形態に係るシステムの構成の例の説明と同じである。よって、ここでは重複する説明を省略する。
【０１２５】
＜４．２．ゲートウェイの構成例＞
次に、図１４を参照して、第３の実施形態に係るゲートウェイ１００の構成の例を説明する。図１４は、第３の実施形態に係るゲートウェイ１００の概略的な構成の例を示すブロック図ある。図１４を参照すると、ゲートウェイ１００は、情報取得部１５１及び通信処理部１５３を備える。
【０１２６】
情報取得部１５１及び通信処理部１５３の具体的な動作は、後に説明する。
【０１２７】
情報取得部１５１及び通信処理部１５３は、プロセッサなどで実装されてもよい。
【０１２８】
＜４．３．端末装置の構成例＞
次に、図１５を参照して、第３の実施形態に係る端末装置３００の構成の例を説明する。図１５は、第３の実施形態に係る端末装置３００の概略的な構成の例を示すブロック図ある。図１５を参照すると、端末装置３００は、情報取得部３５１及び通信処理部３５３を備える。
【０１２９】
情報取得部３５１及び通信処理部３５３の具体的な動作は、後に説明する。
【０１３０】
情報取得部３５１及び通信処理部３５３は、ベースバンド（ＢＢ）プロセッサ及び／又は他のプロセッサなどで実装されてもよい。
【０１３１】
＜４．４．技術的特徴＞
次に、図１６を参照して、第３の実施形態に係る技術的特徴を説明する。
【０１３２】
（１）ＡＰ経由での端末装置への送信
ゲートウェイ１００（情報取得部１５１）は、基地局２００のＰＤＣＰレイヤからのデータユニットを取得する。そして、ゲートウェイ１００（通信処理部１５３）は、送達確認を可能にするプロトコルを使用して、アクセスポイント４０経由で端末装置３００へ上記データユニットを送信する。
【０１３３】
この点についての説明は、例えば、ゲートウェイ１００の構成要素の符号の相違を除き、第１の実施形態における説明と同じである。よって、ここでは重複する説明を省略する。
【０１３４】
（２）端末装置による受信
端末装置３００（情報取得部３３３）は、上記データユニット（即ち、基地局２００のＰＤＣＰレイヤからのデータユニットであって、上記プロトコルを使用してアクセスポイント４０経由で端末装置３００へ送信された当該データユニット）を取得する。そして、端末装置３００（第１通信処理部３３１）は、端末装置３００における上記データユニットの受信処理を行う。
【０１３５】
この点についての説明は、例えば、端末装置３００の構成要素の符号の相違を除き、第１の実施形態における説明と同じである。よって、ここでは重複する説明を省略する。
【０１３６】
（３）処理の流れ
図１６は、第３の実施形態における処理の概略的な流れの一例を示すシーケンス図である。
【０１３７】
ゲートウェイ１００は、基地局２００のＰＤＣＰレイヤからのデータユニットを取得する（Ｓ６０１）。そして、ゲートウェイ１００は、送達確認を可能にするプロトコルを使用して、アクセスポイント４０経由で端末装置３００へ上記データユニットを送信する（Ｓ６０３、Ｓ６０５）。
【０１３８】
端末装置３００は、上記データユニットを取得する（Ｓ６０７）。そして、端末装置３００は、端末装置３００における上記データユニットの受信処理を行う（Ｓ６０９）。
【０１３９】
以上、本発明の実施形態を説明した。本発明は上述した実施形態に限定されるものではなく、本発明の要旨の範囲内において種々に変形して実施をすることが可能である。上述した実施形態は例示であり、実施形態の組合せやそれらの各構成要素や各処理プロセスの組合せに様々な変形例が可能なこと、またそうした変形例も本発明の範囲にあることは、当業者に理解されるところである。
【０１４０】
例えば、「ＰＤＣＰ」、「ＰＤＣＰレイヤ」及び「ＰＤＣＰサブレイヤ」の各々は、「ＰＤＣＰ」、「ＰＤＣＰレイヤ」及び「ＰＤＣＰサブレイヤ」のうちの他の表現に置換えられてもよい。
【０１４１】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。
【０１４２】
また、本明細書において説明したゲートウェイの構成要素（例えば、情報取得部、情報提供部及び／又は通信処理部）を備えるモジュールが提供されてもよい。また、本明細書において説明した基地局の構成要素（例えば、第１通信処理部、情報取得部、情報提供部及び／若しくは第２通信処理部、又は、通信処理部及び／若しくは情報提供部）を備える基地局装置（例えば、ＢＢＵ（Base  Band  Unit）を含む装置、若しくはＢＢＵ）又はそのモジュール（例えば、ＢＢＵ、若しくはＢＢＵのモジュール）が提供されてもよい。また、本明細書において説明した端末装置の構成要素（例えば、第１通信処理部、情報取得部、情報提供部及び／又は第２通信処理部）を備えるモジュールが提供されてもよい。また、このような構成要素の処理を含む方法が提供されてもよく、このような構成要素の処理をプロセッサに実行させるためのプログラムが提供されてもよい。また、当該プログラムを記録した記録媒体が提供されてもよい。当然ながら、このような基地局装置、モジュール、方法、プログラム及び記録媒体も本発明に含まれる。
【０１４３】
上記実施形態の一部又は全部は、以下の付記のようにも記載され得るが、以下には限られない。
【０１４４】
（付記１）
基地局のＰＤＣＰ（Packet  Data  Convergence  Protocol）レイヤからのデータユニットを取得する情報取得部と、
送達確認を可能にするプロトコルを使用して、無線ローカルエリアネットワークのアクセスポイント経由で端末装置へ前記データユニットを送信する通信処理部と、
を備える装置。
【０１４５】
（付記２）
前記プロトコルの送達確認の結果を前記基地局の前記ＰＤＣＰレイヤに提供する情報提供部をさらに備える、付記１に記載の装置。
【０１４６】
（付記３）
前記プロトコルの送達確認の前記結果は、前記データユニットの送達が確認されたことを示す情報を含む、付記２項に記載の装置。
【０１４７】
（付記４）
前記プロトコルの送達確認の前記結果は、前記データユニットの送達が確認されなかったことを示す情報を含む、付記２又は３に記載の装置。
【０１４８】
（付記５）
前記装置は、前記基地局とは異なるゲートウェイ、又は当該ゲートウェイのためのモジュールである、付記１〜４のいずれか１項に記載の装置。
【０１４９】
（付記６）
前記装置は、前記基地局、前記基地局のための基地局装置、又は当該基地局装置のためのモジュールである、付記１〜４のいずれか１項に記載の装置。
【０１５０】
（付記７）
前記ＰＤＣＰレイヤにおける送信処理を行う他の通信処理部
をさらに備え、
前記他の通信処理部は、前記プロトコルの送達確認の結果に基づいて、前記ＰＤＣＰレイヤのリオーダリングウィンドウを進める、
付記６に記載の装置。
【０１５１】
（付記８）
前記ＰＤＣＰレイヤにおける送信処理を行う他の通信処理部
をさらに備え、
前記他の通信処理部は、前記プロトコルからの情報に基づいて、前記基地局と前記端末装置との間の輻輳の制御を行う、
付記６又は７のいずれか１項に記載の装置。
【０１５２】
（付記９）
前記制御は、前記基地局から前記端末装置へ直接送信されるデータの量と、前記基地局から前記アクセスポイント経由で前記端末装置へ送信されるデータの量とを調整することを含む、付記８に記載の装置。
【０１５３】
（付記１０）
基地局のＰＤＣＰレイヤからのデータユニットであって、送達確認を可能にするプロトコルを使用して無線ローカルエリアネットワークのアクセスポイント経由で端末装置へ送信された前記データユニットを取得する情報取得部と、
前記端末装置における前記データユニットの受信処理を行う通信処理部と、
を備える装置。
【０１５４】
（付記１１）
前記プロトコルを使用して前記データユニットを受信する他の通信処理部をさらに備える、付記１０に記載の装置。
【０１５５】
（付記１２）
前記受信処理は、前記ＰＤＣＰレイヤのリオーダリングを含む、付記１０又は１１に記載の装置。
【０１５６】
（付記１３）
前記通信処理部は、前記データユニットが受信されたことを示すＰＤＣＰステータスレポートを前記基地局へ送信する、付記１０〜１２のいずれか１項に記載の装置。
【０１５７】
（付記１４）
前記装置は、前記端末装置、又は前記端末装置のためのモジュールである、付記１０〜１３のいずれか１項に記載の装置。
【０１５８】
（付記１５）
前記プロトコルは、トランスポートレイヤのプロトコルである、付記１〜１４のいずれか１項に記載の装置。
【０１５９】
（付記１６）
前記プロトコルは、ＴＣＰ（Transmission  Control  Protocol）又はＳＣＴＰ（Stream  Control  Transmission  Protocol）である、付記１５に記載の装置。
【０１６０】
（付記１７）
基地局のＰＤＣＰレイヤからのデータユニットを取得することと、
送達確認を可能にするプロトコルを使用して、無線ローカルエリアネットワークのアクセスポイント経由で端末装置へ前記データユニットを送信することと、
を含む方法。
【０１６１】
（付記１８）
基地局のＰＤＣＰレイヤからのデータユニットであって、送達確認を可能にするプロトコルを使用して無線ローカルエリアネットワークのアクセスポイント経由で端末装置へ送信された前記データユニットを取得することと、
前記端末装置における前記データユニットの受信処理を行うことと、
を含む方法。
【０１６２】
（付記１９）
送達確認を可能にするプロトコルを使用して、基地局のＰＤＣＰレイヤからのデータユニットを、無線ローカルエリアネットワークのアクセスポイント経由で端末装置へ送信するゲートウェイ又は前記基地局と、
前記端末装置における前記データユニットの受信処理を行う前記端末装置と、
を含むシステム。
【０１６３】
（付記２０）
ゲートウェイ又は基地局において、送達確認を可能にするプロトコルを使用して、前記基地局のＰＤＣＰレイヤからのデータユニットを、無線ローカルエリアネットワークのアクセスポイント経由で端末装置へ送信することと、
前記端末装置において、前記端末装置における前記データユニットの受信処理を行うことと、
を含む方法。
【０１６４】
（付記２１）
基地局のＰＤＣＰレイヤからのデータユニットを取得することと、
送達確認を可能にするプロトコルを使用して、無線ローカルエリアネットワークのアクセスポイント経由で端末装置へ前記データユニットを送信することと、
をプロセッサに実行させるためのプログラム。
【０１６５】
（付記２２）
基地局のＰＤＣＰレイヤからのデータユニットを取得することと、
送達確認を可能にするプロトコルを使用して、無線ローカルエリアネットワークのアクセスポイント経由で端末装置へ前記データユニットを送信することと、
をプロセッサに実行させるためのプログラムを記録した読み取り可能な記録媒体。
【０１６６】
（付記２３）
基地局のＰＤＣＰレイヤからのデータユニットであって、送達確認を可能にするプロトコルを使用して無線ローカルエリアネットワークのアクセスポイント経由で端末装置へ送信された前記データユニットを取得することと、
前記端末装置における前記データユニットの受信処理を行うことと、
をプロセッサに実行させるためのプログラム。
【０１６７】
（付記２４）
基地局のＰＤＣＰレイヤからのデータユニットであって、送達確認を可能にするプロトコルを使用して無線ローカルエリアネットワークのアクセスポイント経由で端末装置へ送信された前記データユニットを取得することと、
前記端末装置における前記データユニットの受信処理を行うことと、
をプロセッサに実行させるためのプログラムを記録した読み取り可能な記録媒体。
【０１６８】
（付記２５）
基地局のＰＤＣＰレイヤにおける送信処理を行う通信処理部と、
前記送信処理により生成されるデータユニットを、送達確認を可能にするプロトコルを使用して無線ローカルエリアネットワークのアクセスポイント経由で端末装置へ前記データユニットを送信するゲートウェイに提供する情報提供部と、
を備える装置。
【０１６９】
（付記２６）
前記装置は、前記基地局、前記基地局のための基地局装置、又は当該基地局装置のためのモジュールである、付記２５に記載の装置。
【０１７０】
（付記２７）
前記通信処理部は、前記プロトコルの送達確認の結果に基づいて、前記ＰＤＣＰレイヤのリオーダリングウィンドウを進める、付記２５又は２６に記載の装置。
【０１７１】
（付記２８）
前記通信処理部は、前記プロトコルからの情報に基づいて、前記基地局と前記端末装置との間の輻輳の制御を行う、付記２５〜２７のいずれか１項に記載の装置。
【０１７２】
（付記２９）
前記制御は、前記基地局から前記端末装置へ直接送信されるデータの量と、前記基地局から前記アクセスポイント経由で前記端末装置へ送信されるデータの量とを調整することを含む、付記２８に記載の装置。
【０１７３】
（付記３０）
基地局のＰＤＣＰレイヤにおける送信処理を行うことと、
前記送信処理により生成されるデータユニットを、送達確認を可能にするプロトコルを使用して無線ローカルエリアネットワークのアクセスポイント経由で端末装置へ前記データユニットを送信するゲートウェイに提供することと、
を含む方法。
【０１７４】
（付記３１）
基地局のＰＤＣＰレイヤにおける送信処理を行うことと、
前記送信処理により生成されるデータユニットを、送達確認を可能にするプロトコルを使用して無線ローカルエリアネットワークのアクセスポイント経由で端末装置へ前記データユニットを送信するゲートウェイに提供することと、
をプロセッサに実行させるためのプログラム。
【０１７５】
（付記３２）
基地局のＰＤＣＰレイヤにおける送信処理を行うことと、
前記送信処理により生成されるデータユニットを、送達確認を可能にするプロトコルを使用して無線ローカルエリアネットワークのアクセスポイント経由で端末装置へ前記データユニットを送信するゲートウェイに提供することと、
をプロセッサに実行させるためのプログラムを記録した読み取り可能な記録媒体。
【０１７６】
この出願は、２０１５年９月１１日に出願された日本出願特願２０１５−１７９７４５を基礎とする優先権を主張し、その開示の全てをここに取り込む。
【符号の説明】
【０１７７】
１、２                  システム
４０                    アクセスポイント
５１、５３、５５        ネットワーク
１００                  ゲートウェイ
１３１、１５１          情報取得部
１３３                  情報提供部
１３５、１５３          通信処理部
２００                  基地局
２４１                  通信処理部
２５１                  第１通信処理部
２５３                  情報取得部
２５５                  情報提供部
２５７                  第２通信処理部
３００                  端末装置
３３１、３４１          第１通信処理部
３３３、３４３、３５１  情報取得部
３３５、３４５          情報提供部
３３７、３４７          第２通信処理部
３５３                  通信処理部
【図１】
2017043534.tif 000003
【図２】
2017043534.tif 000004
【図３】
2017043534.tif 000005
【図４】
2017043534.tif 000006
【図５】
2017043534.tif 000007
【図６】
2017043534.tif 000008
【図７】
2017043534.tif 000009
【図８】
2017043534.tif 000010
【図９】
2017043534.tif 000011
【図１０】
2017043534.tif 000012
【図１１】
2017043534.tif 000013
【図１２】
2017043534.tif 000014
【図１３】
2017043534.tif 000015
【図１４】
2017043534.tif 000016
【図１５】
2017043534.tif 000017
【図１６】
2017043534.tif 000018
【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
基地局のＰＤＣＰ（Packet  Data  Convergence  Protocol）レイヤからのデータユニットを取得する情報取得部と、
送達確認を可能にするプロトコルを使用して、無線ローカルエリアネットワークのアクセスポイント経由で端末装置へ前記データユニットを送信する通信処理部と、
を備える装置。
【請求項２】
前記プロトコルの送達確認の結果を前記基地局の前記ＰＤＣＰレイヤに提供する情報提供部をさらに備える、請求項１に記載の装置。
【請求項３】
前記装置は、前記基地局とは異なるゲートウェイ、又は当該ゲートウェイのためのモジュールである、請求項１又は２に記載の装置。
【請求項４】
前記装置は、前記基地局、前記基地局のための基地局装置、又は当該基地局装置のためのモジュールである、請求項１〜３のいずれか１項に記載の装置。
【請求項５】
基地局のＰＤＣＰレイヤからのデータユニットであって、送達確認を可能にするプロトコルを使用して無線ローカルエリアネットワークのアクセスポイント経由で端末装置へ送信された前記データユニットを取得する情報取得部と、
前記端末装置における前記データユニットの受信処理を行う通信処理部と、
を備える装置。
【請求項６】
前記プロトコルは、トランスポートレイヤのプロトコルである、請求項１〜５のいずれか１項に記載の装置。
【請求項７】
基地局のＰＤＣＰレイヤからのデータユニットを取得することと、
送達確認を可能にするプロトコルを使用して、無線ローカルエリアネットワークのアクセスポイント経由で端末装置へ前記データユニットを送信することと、
を含む方法。
【請求項８】
送達確認を可能にするプロトコルを使用して、基地局のＰＤＣＰレイヤからのデータユニットを、無線ローカルエリアネットワークのアクセスポイント経由で端末装置へ送信するゲートウェイ又は前記基地局と、
前記端末装置における前記データユニットの受信処理を行う前記端末装置と、
を含むシステム。
【請求項９】
基地局のＰＤＣＰレイヤからのデータユニットを取得することと、
送達確認を可能にするプロトコルを使用して、無線ローカルエリアネットワークのアクセスポイント経由で端末装置へ前記データユニットを送信することと、
をプロセッサに実行させるためのプログラム。
【請求項１０】
基地局のＰＤＣＰレイヤにおける送信処理を行う通信処理部と、
前記送信処理により生成されるデータユニットを、送達確認を可能にするプロトコルを使用して無線ローカルエリアネットワークのアクセスポイント経由で端末装置へ前記データユニットを送信するゲートウェイに提供する情報提供部と、
を備える装置。
【国際調査報告】
2017043534.tif 000019
2017043534.tif 000020
2017043534.tif 000021
2017043534.tif 000022